(57)【要約】    【構成】  ボールジョイント１０は、中空アーム１２を含み、中空アーム１２の一端側には球形体１４が取りつけらる。球形体１４は、雄ねじ部材１６ａと雌ねじ部材１６ｂでが螺合することで構成される球形体ホルダー１６によって、回動可能に抱持される。球形体ホルダー１６の内面には１本のＯリング溝２０が設けられ、そこに２本のＯリング２２及び２４が収容される。    【効果】  ２本のＯリングが互いに押し合うことで、２本のＯリングが球形体に密着し、高い防水効果を持つボールジョイントが得られる。【選択図】  図２
2005048872.tif 000002
【特許請求の範囲】
【請求項１】
中空アームに連結される球形体と、この球形体を回動自在に保持する球形体ホルダーとを有するボールジョイントにおいて、
前記球形体ホルダー内面に１つのＯリング溝を形成し、前記１つのＯリング溝２本のＯリングを収容し、各ＯリングＯリング中心線が前記球形体の中心を通る球形体中心線を両側で挟みかつ２本のＯリングを前記球形体中心線上で接触させるようにしたことを特徴とする、ボールジョイント。
【発明の詳細な説明】
【技術分野】
【０００１】
本発明はボールジョイントに関し、特に例えばその中に電線を通じて電線用配管に用いる中空アームを球形継手で自在に回動可能に保持した、ボールジョイントに関する。
【背景技術】
【０００２】
従来のこの種のボールジョイントの一例が、特許文献１に開示されている。特許文献１のボールジョイントは、電気スタンドなどに用いられ、電線が球状部の貫通孔及び中空腕と通って配線され、抱持部で球状部を抱持することによって、中空腕を回動させるもので、特に回動時は電線が過度に捻られることのないような回動規制を特徴とする。
【０００３】
このようなボールジョイントは電線を回動可能に配線できるので、様々な用途に利用できるが、特許文献１のボールジョイントは防水性については全く意図されていない。
【０００４】
他方、球形継手を用いた自在継手で止水性または防水性を考慮したものとして、特許文献２に開示されたものがある。特許文献２の球形継手は電線配線用のものではないが、内球の外側で外球との間に２本（複数）のパッキンを介在させて止水性を高めている。
【特許文献１】特開２００２−１２２１２９号公報［Ｆ１６Ｃ  １１／０８、Ｈ０２Ｇ  １５／０８、／／Ｆ１６Ｌ  ２７／０４］
【特許文献２】実用新案登録第３０２３０１７号公報［Ｆ１６Ｌ  ２７／０４］
【発明の開示】
【発明が解決しようとする課題】
【０００５】
特許文献１のボールジョイントの球形継手に特許文献２のパッキンを適用して、防水型のボールジョイントを作製することが考えられるが、２つの従来技術を単純に寄せ集めただけでは防水型ボールジョイントとしての必要な性能は得られない。
【０００６】
それゆえに、この発明の主たる目的は十分な性能を有する、防水型ボールジョイントを提供することである。
【課題を解決するための手段】
【０００７】
請求項１の発明は、中空アームに連結される球形体と、この球形体を回動自在に保持する球形体ホルダーとを有するボールジョイントにおいて、球形体ホルダー内面に１つのＯリング溝を形成し、１つのＯリング溝に２本のＯリングを収容し、各ＯリングのＯリング中心線が球形体の中心を通る球形体中心線を両側で挟みかつ２本のＯリングを球形体中心線上で接触させるようにしたことを特徴とする、ボールジョイントである。
【０００８】
請求項１の発明では、１つのＯリング溝に２本のＯリングが収容されているので、中空アームの回動時には、一方のＯリングが他方のＯリングに押し付けられる。そのため、２本のＯリングは共に大きく変形し、Ｏリングが球形体外面に密着する。それと共に、各ＯリングのＯリング中心線が球形体中心線をわずかに外れてそれを挟むので、各Ｏリングが安定的に球形体外面に密着する。従って、高い防水性が得られる。
【発明の効果】
【０００９】
この発明によれば、Ｏリングが安定的に球形体外面に密着するので、高い防水性が安定的に得られる。
【００１０】
この発明の上述の目的、その他の目的、特徴及び利点は、図面を参照して行う以下の発明を実施するための最良の形態による詳細な説明から一層明かとなろう。
【発明を実施するための最良の形態】
【００１１】
図１に示す本発明の実施例のボールジョイント１０は、中空アーム１２を含み、中空アーム１２の一端側には球形体１４が取りつけられる。球形体１４は球形体ホルダー１６によって回動可能に抱持され、球形体１４と球形体ホルダー１６とが球体継手を構成しており、この球形継手が支持台１８に固定的に保持される。従って支持台１８をたとえば壁面（図示せず）に固着すれば、中空アーム１２が壁面上において回動可能に保持される。
【００１２】
詳しく説明すると、図２に示すように、円筒状の中空アーム１２の一端に、中空アーム１２の直径より大きな直径をもつ球形体１４が設けられる。中空アーム１２及び球形体１４は金属またはプラスチックなどの材料からなる。球形体１４は中空アーム１２と接続された側と反対側に円形断面を有し、截頭球体となっている。
【００１３】
球形体１４は雄ねじ部材１６ａと雌ねじ部材１６ｂとを螺合することによって形成した球形体ホルダー１６によって回動自在に保持される。すなわち、支持台１８のほぼ中央に一方方向側に突出して雄ねじ部材１６ａが形成され、この雄ねじ部材１６ａに袋ナットのような雌ねじ部材１６ｂが螺嵌されて、１つの球形体ホルダー１６を形成する。この球形体ホルダー１６には、その内面に球形体１４の外面に沿う球面が形成され、それによって球形体１４が球形体ホルダー１６に回動自在に保持される。この球形体ホルダー１６もまた金属やプラスチックで形成され得る。よって、支持台１８を壁等に固定したとき、中空アーム１２が回動可能となる。図２では雄ねじ部材１６ａが支持台１８に固着された例を示しているが、雌ねじ部材１６ｂが支持台１８に固着されても、何ら差し支えない。
【００１４】
雄ねじ部材１６ａと雌ねじ部材１６ｂの内側の球面上で、両者を螺合したとき互いに接する周縁に沿って、Ｏリング溝２０ａ及び２０ｂが形成されている。Ｏリング溝２０ａ及び２０ｂは雄ねじ部材１６ａと雌ねじ部材１６ｂを合体させたとき、１本のＯリング溝２０としての機能を果たすように構成されている。Ｏリング溝２０ａ及び２０ｂの内部に２本のＯリング２２及び２４が収容されている。図２に示す実施例において、Ｏリング２２及び２４は断面の半径が等しいものを用いる。
【００１５】
図３に示すように、球形体の中心２６を通る直線を球形体中心線２８とする。またＯリング溝２０に収容されたＯリング２２及び２４について、それぞれのＯリングについて、任意の２点におけるＯリング断面円形の中心どうしを結んだ直線をＯリング中心線とし、Ｏリング２２及び２４についてそれぞれＯリング中心線３０及び３２とする。
【００１６】
図３からよく分かるように、２つのＯリング２２及び２４のＯリング中心線３０及び３２は球形体１４の中心線２８からわずかにずらされ、その中心線２８を両側で挟むように、かつ２つのＯリング２２及び２４が球形体中心線２８上で密着するように、Ｏリング溝２０に収容される。
【００１７】
なお、このようなボールジョイント１０は、次のようにして組み立てられる。雄ねじ部材１６ａが支持台１８に固定され、雄ねじ部材１６ａの内側球面上に設けられたＯリング溝２０ａにＯリング２４が設けられる。中空アーム１２が取りつけられた球形体１２を、Ｏリング２４の設けられた雄ねじ部材１６ａに、球形体１４の外面と雄ねじ部材１６ａの内面が沿うように設けられる。その後中空アーム１２の側からＯリング２２を、Ｏリング２４と接触するように設け、同じ側から雌ねじ部材１６ｂを、雌ねじ部材１６ｂに形成されたＯリング溝２０ｂにＯリング２２を収容する。そして、雄ねじ部材１６ａと雌ねじ部材１６ｂを螺合することで１つの球形体ホルダー１６を形成し、球形体１４を抱持する。よって、支持台１８を壁等に固定したとき、中空アーム１２が回動可能となる。
【００１８】
中空アーム１２を回動させると、Ｏリング２２及び２４のうち、一方のＯリングが他方のＯリングに押し付けられる。Ｏリング２２及び２４は材質も大きさも同じものを用いるため、２本のＯリング２２及び２４は共に等しい力を受け大きく変形し、Ｏリングが球形体１４の外面に密着する。変形したＯリング２２、２４は、Ｏリング中心線３０、３２が球形体中心線２８をわずかに外れてそれを挟むように設けられる。このときＯリング中心線３０、３２と球形体中心線２８は平行で、等間隔に設けられることとなる。従って、Ｏリング２２及び２４が安定的に球形体外面に密着し、高い防水効果が得られる。
【００１９】
上述のように、この実施例によれば、比較的断面径の小さい２本のＯリング２２及び２４を用いて防水効果を高めることができる。特許文献２に開示されている自在継手では、防水性を高めるために２本のパッキンを設けているが、これでは中空アームの回動時に２本のパッキンが互いに押し合うようなことはなく、十分な止水性が得られない。さらに断面径の比較的大きい１本だけのシールリングを用いる場合には、これを圧縮するために大きな力が必要となり、球形体ホルダーのサイズが大きくなり、中空アームの回動範囲も狭くなってしまう。
【図面の簡単な説明】
【００２０】
【図１】この発明の実施例を示す斜視図であり、（Ａ）は上方から見た図で、（Ｂ）は下方から見た図である。
【図２】この実施例を示す断面図である。
【図３】図２断面図のＯリングと球形体との接触部分のを示す拡大図である。
【符号の説明】
【００２１】
１０  …ボールジョイント
１２  …中空アーム
１４  …球形体
１６  …球形体ホルダー
１６ａ  …雄ねじ部材
１６ｂ  …雌ねじ部材
１８  …支持台
２０，２０ａ，２０ｂ  …Ｏリング溝
２２，２４  …Ｏリング
２６  …球形体の中心
２８  …球形体中心線
３０，３２  …Ｏリング中心線
【図１】
2005048872.tif 000003
【図２】
2005048872.tif 000004
【図３】
2005048872.tif 000005